【事件の表示】
　平成　４年特許願第３１０７８０号「スクロール表示方式」拒絶査定に対する審判事件［平成　６年　５月２０日出願公開、特開平　６−１３８８４０］について、次のとおり審決する。
【結　論】
　本件審判の請求は、成り立たない。
【理　由】
１．手続の経緯・本願発明
　本願は、平成４年１０月２７日の出願であって、その請求項１に係る発明は、平成１１年５月１７日付け手続補正書及び平成１３年８月７日付け手続補正書で補正された明細書及び図面の記載によれば、特許請求の範囲の請求項１に記載された次のとおりのものと認められる。（以下、請求項１に係る発明を「本願発明」という。）
「マトリクス状に配列された複数のドットを有し入力されたデータを所定の表示周期で表示する表示素子と、
　前記表示素子のドットに対応するデータ容量よりも大きな容量を有する表示メモリと、
　前記表示メモリのスタートアドレスが書き込まれる表示スタートアドレスレジスタと、
　前記表示周期のスタートとともに前記表示メモリに対し前記表示スタートアドレスレジスタに書き込まれている前記スタートアドレスから前記表示素子のドットに対応するデータ容量の記憶エリア内で順次アドレス指定を行なう表示アドレス回路と、
　前記表示周期をもって前記表示素子をダイナミック駆動し前記表示アドレス回路のアドレス指定にしたがって前記表示メモリから読み出されたデータを前記表示素子に表示させるとともに、前記表示周期のスタートを示す表示周期パルスを出力する表示スキャン回路と、
　前記表示スタートアドレスレジスタに書き込まれている前記スタートアドレスを前記表示スキャン回路から入力された前記表示周期パルスに同期して更新するホストシステムと
　を備えたことを特徴とするスクロール表示方式。」
　
２．引用刊行物記載の発明
　当審において平成１３年５月２８日付けで通知した拒絶理由に引用した特開昭６２−８１６９７号公報（以下、「引用刊行物１」という。）には、特に第１〜２図とともに、次の事項が記載されている。
（ア）「上記本発明の目的は、表示データ出力部、マトリクス状に配設されて成る複数の第１の電極群および複数の第２の電極群を具備し第１の電極群と第２の電極群とに印加された電圧に応答して発光する表示部、および、前記表示データ出力部からの表示データを一旦記憶し、該記憶した表示データに基づき前記第１および第２の電極群を所定のタイミングで選択駆動する表示制御部、を具備し、前記表示部の第１の方向に流れ様に情報を表示し且つ第１の方向とは異なる第２の方向に移行するように表示する場合、前記表示データ出力部から前記表示制御部への表示データの転送を前記表示部の第１の方向の所定の行の表示タイミングに応答して行わせるようにしたことを特徴とする、表示装置により実現される。」（第２頁左下欄第１１行から右下欄第６行）
（イ）「第１図に図示の表示装置は、表示データ出力部としてのマイクロプロセッサ１、表示制御部としての表示制御回路２および表示部４から構成されている。表示部４はｍ本の行方向電極（Ｙ軸表示電極）とｎ本の列方向電極（Ｘ軸表示電極）を有するプラズマディスプレーパネル（ＰＤＰ）である。表示制御回路２は、マイクロプロセッサ１からの表示用データＤＡＴＡを受けるバッファ２１、該バッファ２１からの表示用データＤＡＴＡを記憶するランダムアクセスメモリ（ＲＡＭ）２２、変換器２３、ラッチ付シフトレジスタ２４およびＸ電極ドライバ２５を有している。表示制御回路２は、インターフェースコントローラ２６、表示用カウンタ・コントローラ２７、およびＹ電極ドライバ２８を有している。」（第２頁右下欄第１０行から第３頁左上欄第５行）
（ウ）「第１図の表示装置の基本的動作について述べる。・・・（中略）・・・表示を行う場合、マイクロプロセッサ１から書込信号Ｗ−ＳＩＧがインターフェースコントローラ２６に出力されると共に、表示すべきデータＤＡＴＡがバッファ２１を介してＲＡＭ２２に出力され、ＲＡＭ２２内の該当するエリアに表示データが記憶される。ＰＤＰ４への表示は、ＲＡＭ２２に記憶された内容に基いて表示される。ＰＤＰ４は第２図に図示の如く、ｍ行×ｎ列にマトリクス状に配設されたＸおよびＹ軸表示電極で規定されたｍ×ｎドットの画素を有している。・・・（中略）・・・ＲＡＭ２２に記憶されている表示データは、ドット単位として、ＰＤＰ４の、各行の１〜ｎ列について変換器２３においてドットベースの信号に変換され、シリアルなドットデータがラッチ付シフトレジスタ２４に順次入力される。・・・（中略）・・・表示画面用カウンタ・コントローラ２７は、上記の表示制御を行うものであるが、カウンタ・コントローラ自体は、静止表示、スクロール表示、スクロール表示とスキャン表示併用表示等の表示モードに関係なく上記表示を行わせるため作動している。従って、例えばスクロール表示を行う場合は、スクロール表示に則して、マイクロプロセッサ１からＲＡＭ２２に表示データを書込む。」（第３頁左上欄第８〜左下欄１５行）
（エ）「次に第２図に図示の如く、矢印方向にスクロール表示を行うと共にＢ方向にスキャニング表示する場合について述べる。第１図の表示画面用カウンタ・コントローラ２７からマイクロプロセッサ１へ同期信号ＳＹＮＣが出力されている。同期信号ＳＹＮＣはＰＤＰ４の１画面表示完了毎に出力される。マイクロプロセッサ１は、同期信号ＳＹＮＣを受信するごとに、新しい表示データを、１周期内にＲＡＭ２２に出力する。従来、ビート現象は、ＰＤＰ４への表示更新中にデータが切り換わるために生じたのであるが、このように、表示更新とデータの切換えを重複させないようにすることにより、ビート現象は発生しなくなる。」（第３頁左下欄第１６行から右下欄９行）
　
　上記記載事項（ア）乃至（エ）から、引用刊行物１には、「マトリクス状に配列された複数のドットを有し入力されたデータを所定の表示周期で表示するプラズマディスプレーパネル（ＰＤＰ）４と、表示データが記憶されるＲＡＭ２２と、表示周期のスタートとともにＲＡＭ２２に対し順次読み出しエリアを指定し、前記表示周期をもってプラズマディスプレーパネル４をダイナミック駆動し読み出しエリアの指定にしたがってＲＡＭ２２から読み出されたデータをプラズマディスプレーパネル４に表示させるとともに、表示周期のスタートを示す同期信号ＳＹＮＣを出力する表示画面用カウンタ・コントローラ２７と、ＲＡＭ２２に記憶される表示データを表示画面用カウンタ・コントローラ２７から入力された同期信号ＳＹＮＣに同期して更新するマイクロプロセッサ１とを備え、プラズマディスプレーパネル４の表示更新と同期してＲＡＭ２２に記憶される表示データの更新を行うことにより、ビート現象の発生を防止するようにした表示装置」が記載されていると認められる。
　
　また、前記拒絶理由において引用した実願昭５８−１８５６７１号（実開昭６０−９４６９１号）のマイクロフィルム（以下、「引用刊行物２」という。）には、特に第１〜２図とともに、次の事項が記載されている。
（オ）「上記パネル型画像表示装置において、表示中のデータを縦スクロールあるいは横スクロールする場合、従来ではビデオメモリ内のデータをスクロール操作に応じて書換えている。」（第２頁第１７〜２０行）
（カ）「第１図において１１はビデオメモリで、データバスＤＢを介してＣＰＵ（図示せず）等に接続される。そして、上記ＣＰＵからはアドレスバスＡＢを介してＹ方向アドレスカウンタ１２ａ、縦スクロールアドレスがセットされる縦スクロールレジスタ１３、Ｘ方向アドレスカウンタ１４ａ、横スクロールアドレスがセットされる横スクロールレジスタ１５にアドレスデータが送られる。そして、上記縦スクロールレジスタ１３は、ＣＰＵからのスクロールアドレスセットパルスφＳによって入力データを読込み、Ｙ方向アドレスカウンタ１２ｂへ与える。このＹ方向アドレスカウンタ１２ｂは、制御部１６からのロードパルスφＬによって入力データがロードされ、クロックφＡによってカウントアップ動作する。そして、上記Ｙ方向アドレスカウンタ１２ａ，１２ｂの出力は、ＣＰＵからのタイミング信号φＢによって動作する切換回路１７により選択され、ビデオメモリ１１へ送られる。また、横スクロールレジスタ１５は、ＣＰＵからのスクロールアドレスセットパルスφＳによって入力データを読込み、Ｘ方向アドレスカウンタ１４ｂへ与える。このアドレスカウンタ１４ｂは、制御部１６からのロードパルスによって入力データがロードされ、クロックφＡによってカウントアップ動作する。そして、上記Ｘ方向アドレスレジスタ１４ａ，１４ｂの出力は、ＣＰＵからのタイミング信号φＢによって動作する切換回路１８を介してビデオメモリ１１へ送られる。しかして、このビデオメモリ１１から読出されるデータは、Ｐ／Ｓ（並列／直列）変換回路１９によりシリアルビットに変換され、液晶表示パネル２０の信号側駆動回路２１へ送られる。また、液晶表示パネル２０には、走査側信号回路２２が接続され、この走査側信号回路は制御部１６によってタイミング制御される。」（第４頁第７行から第６頁第２行）
（キ）「表示画面をスクロールする場合は、スクロールアドレスをスクロールレジスタ１３，１５にセットする。今、例えばビデオメモリ１１のＸ方向アドレスが「ｉ」、Ｙ方向アドレスが「ｊ」の位置を表示画面の左上隅にスクロールしたい場合には、ＣＰＵから第２図に示すように、まず、Ｘ方向アドレス「ｉ」をスクロールアドレスセットパルスφＳと共に出力して横スクロールレジスタ１５にセットし、続いてＹ方向アドレス「ｊ」をセットパルスφＳと共に出力して縦スクロールレジスタ１３にセットする。上記スクロールレジスタ１３，１５にセットされたスクロールデータは、ｎ番目の走査電極選択信号Ｙｎに同期したロードパルスφＬによってアドレスカウンタ１２ｂ，１４ｂにセットされる。そして、上記アドレスカウンタ１２ｂ，１４ｂにセットされたアドレス「ｉ，ｊ」に従ってビデオメモリ１１から記憶データ例えば１バイト（８ビット）の記憶データが読出され、Ｐ／Ｓ変換回路１９でシリアルビットに変換されて信号側駆動回路２１へ送られる。これが１走査電極選択期間ｔｆ／ｎ（ｔｆは１フレーム期間）にｍ／８回繰返されて走査線１本分が表示される。上記のようにしてビデオメモリ１１に記憶されている「ｉ，ｊ」アドレスのデータは、ロードパルスφＬの発生後に読出され、液晶表示パネル２０の左上隅に表示される。その後、Ｘ方向アドレスカウンタ１４ｂの内容つまり、Ｘ方向アドレスＹａｄｄが第２図に示すようにクロックφＡによって「ｉ＋１」，「ｉ＋２」・・・「ｉ＋ｍ／８」とカウントアップされ、１走査電極に対するデータがビデオメモリ１１から順次読出され、表示パネル２０に表示される。そして、１走査電極に対する表示を終了すると、Ｙ方向アドレスカウンタ１２ａの内容、つまりＹ方向アドレスＹａｄｄが「＋１」され、ビデオメモリ１１の次の行アドレスが指定される。以下同様の処理が繰返され、ビデオメモリ１１の記憶内容が表示パネル２０に縦及び横方向にスクロールして表示される。上記のスクロール処理において、縦スクロールレジスタ１３のみにデータをセットすれば縦スクロールが行われ、横スクロールレジスタ１５のみにデータをセットすれば横スクロールが行われる。従って、例えば縦スクロールレジスタ１５にセットするデータを「１」から順次「＋１」していけば、表示画面を上方向に１行ずつスクロールすることができる。」（第８頁第１２行から第１０頁第１８行）
　
　上記記載事項（オ）乃至（キ）から、引用刊行物２には、スクロール表示を行う場合に、従来はビデオメモリ内のデータをスクロール操作に応じて書換えていたのに代えて、縦スクロールレジスタ１３あるいは横スクロールレジスタ１５を設け、縦スクロールレジスタ１３あるいは横スクロールレジスタ１５にスクロールアドレスをセットし、Ｘ方向アドレスカウンタ１４ａあるいはＹ方向アドレスカウンタ１４ｂを縦スクロールレジスタ１３あるいは横スクロールレジスタ１５にセットされたスクロールアドレスから順次アドレス指定を行うことが記載されていると認められる。
　
３．対比
　本願発明と引用刊行物１に記載の発明とを対比する。
　引用刊行物１記載の「プラズマディスプレーパネル（ＰＤＰ）４」「ＲＡＭ２２」「同期信号ＳＹＮＣ」及び「マイクロプロセッサ１」が、それぞれ本願発明の「表示素子」「表示メモリ」「表示周期パルス」及び「ホストシステム」に相当することは明らかである。
　また、ＲＡＭに対し読み出しエリアを指定する際に、メモリのアドレス指定を行うことは明らかであるから、引用刊行物１記載の発明の「表示周期のスタートともにＲＡＭ２２に対し順次読み出しエリアを指定し、所定の表示周期をもってプラズマディスプレーパネル４をダイナミック駆動し読み出しエリアの指定にしたがってＲＡＭ２２から読み出されたデータをプラズマディスプレーパネル４に表示させるとともに、表示周期のスタートを示す同期信号ＳＹＮＣを出力する表示画面用カウンタ・コントローラ２７」は、本願発明の「表示アドレス回路」及び「表示スキャン回路」に相当する。
　してみると、本願発明と引用刊行物１記載の発明とは、「マトリクス状に配列された複数のドットを有し入力されたデータを所定の表示周期で表示する表示素子と、表示メモリと、前記表示周期のスタートともに前記表示メモリに対し順次アドレス指定を行う表示アドレス回路と、前記表示周期をもって前記表示素子をダイナミック駆動し前記表示アドレス回路のアドレス指定にしたがって前記表示メモリから読み出されたデータを前記表示素子に表示させるとともに、前記表示周期のスタートを示す表示周期パルスを出力する表示スキャン回路と、表示メモリから読み出され表示素子に表示するデータを表示スキャン回路から入力された前記表示周期パルスに同期して更新するホストシステムとを備えたスクロール表示方式。」である点で一致し、次の点で相違する。
［相違点］
　本願発明においては、表示メモリが「表示素子のドットに対応するデータ容量よりも大きな容量を有する」とともに、「表示メモリのスタートアドレスが書き込まれる表示スタートアドレスレジスタ」を有し、表示アドレス回路が「表示スタートアドレスレジスタに書き込まれているスタートアドレスから表示素子のドットに対応するデータ容量の記憶エリア内で」順次アドレス指定を行うことによりスクロール表示を行い、表示メモリから読み出され表示素子に表示するデータを表示周期パルスに同期して更新するのを、「表示スタートアドレスレジスタに書き込まれているスタートアドレスを」更新することにより行っている。
　これに対して、引用刊行物１記載の発明では、表示メモリは表示素子のドットに対応するデータ容量を有しており、表示スタートアドレスレジスタを設けることなく、表示メモリのデータを書き換え、書き換えられた表示メモリを表示アドレス回路が順次アドレス指定を行うことによりスクロール表示を行い、表示メモリから読み出され表示素子に表示するデータを表示周期パルスに同期して更新するのを、表示メモリのデータを更新することにより行っているから、引用刊行物１のものが上記の事項を有していない点で、両者は相違する。
　
４．相違点の判断
　上記相違点について検討する。
　引用刊行物２記載の発明の「ビデオメモリ１１」「縦スクロールレジスタ１３あるいは横スクロールレジスタ１５」及び「Ｙ方向アドレスカウンタ１２ｂあるいはＸ方向アドレスカウンタ１４ｂ」はそれぞれ本願発明の「表示メモリ」「表示スタートアドレスレジスタ」及び「表示アドレス回路」に相当するから、引用刊行物２には、スクロール表示を行う場合に、従来は表示メモリ内のデータをスクロール操作に応じて書き換えていたのに代えて、表示メモリのスタートアドレスが書き込まれる表示スタートアドレスレジスタを設け、表示アドレス回路により表示スタートアドレスレジスタに書き込まれているスタートアドレスから順次アドレス指定を行うことによりスクロ−ル表示を行うことが記載されている。
　また、スタートアドレスを指定することによりスクロール表示を行う場合に、表示素子のドットに対応するデータ容量よりも大きな容量を有する表示メモリを設け、指定したスタートアドレスから表示素子のドットに対応するデータ容量の記憶エリア内で順次アドレス指定を行うことは周知技術である（例えば、特開昭５６−１３７３９６号公報、特開平２−２９８９８６号公報、特開昭６３−２００１９６号公報参照）。
　そして、引用刊行物１記載の発明は、引用刊行物２で従来の技術とする、メモリ内のデータをスクロール操作に応じて書き換えるものであり、引用刊行物２に、この従来のものに代えて引用刊行物２記載の構成を用いることが記載されているのであるから、引用刊行物１記載の発明に引用刊行物２記載の発明及び上記周知技術を適用して、表示メモリが「表示素子のドットに対応するデータ容量よりも大きな容量を有する」ようにするとともに、「表示メモリのスタートアドレスが書き込まれる表示スタートアドレスレジスタ」を設け、表示アドレス回路が「表示スタートアドレスレジスタに書き込まれているスタートアドレスから表示素子のドットに対応するデータ容量の記憶エリア内で」順次アドレス指定を行うことによりスクロール表示を行うようにすることは当業者ならば容易に想到し得たものである。
　そして、表示スタートアドレスレジスタに書き込まれているスタートアドレスから順次アドレス指定を行うことによりスクロール表示を行う場合には、表示周期パルスに同期するデータの内容の更新を、「表示スタートアドレスレジスタに書き込まれているスタートアドレスを」更新することにより行うようになることは当然の事項である。
　
　そして、本願発明の効果も、引用刊行物１及び引用刊行物２に記載された発明並びに上記周知技術から当業者であれば予測し得る程度のものである。
　
 ５．むすび
  以上のとおりであるから、本願発明は引用刊行物１及び引用刊行物２に記載された発明並びに上記周知技術に基づいて当業者が容易に発明をすることができたものであるから、特許法第２９条第２項の規定により特許を受けることができない。
　よって、結論のとおり審決する。